(57)【要約】【課題】ステップから落下する埃を埃受け体に確実に収容することができる乗客コンベアのステップ清掃装置を提供する。【解決手段】乗客コンベアのステップ清掃装置において、無端状に連結された複数のステップ３を循環移動させる駆動部６のマシンベッド７に取付けられ、駆動部６がステップ３を循環移動させる取付位置近傍に取付けられた場合にステップ３が移動方向を反転させる反転部８の下方位置近傍に位置付けられる埃受け体１０を備える。【選択図】    図１
2007204159.tif 000002
【特許請求の範囲】
【請求項１】
無端状に連結された複数のステップを循環移動させる駆動部のマシンベッドに取付けられ、前記駆動部が前記ステップを循環移動させる取付位置近傍に取付けられた場合に前記ステップが移動方向を反転させる反転部の下方位置近傍に位置付けられる埃受け体を備えることを特徴とする乗客コンベアのステップ清掃装置。
【請求項２】
前記埃受け体の側面に掃出口が形成され、前記掃出口を開放する開放位置と前記掃出口を閉止する閉止位置とに開閉可能な扉が設けられていることを特徴とする請求項１記載の乗客コンベアのステップ清掃装置。
【請求項３】
前記反転部において垂直向きとなる前記ステップの上面に対向するステップカバーが設けられ、前記ステップの上面と前記ステップカバーとの間の領域の垂直方向投影面が前記埃受け体の開口内に位置することを特徴とする請求項１又は２記載の乗客コンベアのステップ清掃装置。
【請求項４】
前記ステップカバーは上下方向に分割された複数の分割カバーを連結して形成され、下側の前記分割カバーは前記埃受け体に対して接離する方向に上下方向移動可能に設けられていることを特徴とする請求項３記載の乗客コンベアのステップ清掃装置。
【請求項５】
前記埃受け体の巾は、前記ステップの巾よりも大きいことを特徴とする請求項１ないし４のいずれか一に記載の乗客コンベアのステップ清掃装置。
【発明の詳細な説明】
【技術分野】
【０００１】
本発明は、乗客コンベアのステップ清掃装置に関し、特に、循環移動するステップが移動方向を反転させる反転部においてステップの上面から落下する埃を効率良く回収することができる乗客コンベアのステップ清掃装置に関する。
【背景技術】
【０００２】
例えば、下記特許文献１に記載されているように、乗客コンベアの踏段清掃装置が知られている。
【０００３】
特許文献１に記載された乗客コンベアの踏段清掃装置は、踏段反転部の下方に位置するオイルパン上に配置される清掃装置本体を有し、この清掃装置本体の一部として踏段から落下するゴミを受けるトレイ（ゴミ受け部）が設けられている。
【０００４】
踏段が反転部において移動方向を反転させる場合に、踏段の上に載っているゴミがトレイ上に落下し、トイレ内に堆積される。
【特許文献１】特開２００４−１８１４４号公報
【発明の開示】
【発明が解決しようとする課題】
【０００５】
しかしながら、前述の乗客コンベアの踏段清掃装置においては、以下の点について配慮がなされていない。
【０００６】
無端状に連結されて循環移動する踏段は、トラス等の構造体内に配置されており、オイルパンは構造体の底部に配置されている。このため、オイルパン上に配置される清掃装置本体と、踏段における移動方向を反転する反転部との距離が大きく開いている。これにより、踏段が反転した場合に踏段から落下するゴミが広い範囲に広がり、ゴミの一部がトレイ内に収納されずにトレイの周囲に散らばる。
【０００７】
また、構造体内には踏段を循環移動させる駆動部が配置されており、乗客コンベア装置の小型化等の要請により駆動部が反転部の下方位置へ張り出した場合には、清掃装置本体を設置することができなくなる。
【０００８】
本発明はこのような課題を解決するためになされたもので、その目的は、ステップから落下する埃を埃受け体に確実に収容することができる乗客コンベアのステップ清掃装置を提供することである。
【課題を解決するための手段】
【０００９】
本発明の実施の形態に係る第１の特徴は、乗客コンベアのステップ清掃装置において、無端状に連結された複数のステップを循環移動させる駆動部のマシンベッドに取付けられ、前記駆動部が前記ステップを循環移動させる取付位置近傍に取付けられた場合に前記ステップが移動方向を反転させる反転部の下方位置近傍に位置付けられる埃受け体を備えることである。
【発明の効果】
【００１０】
本発明によれば、循環移動するステップの反転部に近接させて埃受け体を位置させることができ、反転部においてステップから落下する埃を埃受け体に確実に収容することができる。
【発明を実施するための最良の形態】
【００１１】
以下、本発明の一実施の形態を図面を用いて説明する。
【００１２】
本発明の一実施の形態に係る乗客コンベアであるエスカレータ１は、図１に示すように、上階側と下階側との間にトラス２が配置され、チェーン（図示せず）により無端状に連結されて循環移動する複数のステップである踏段３がトラス２内に配置されている。踏段３の移動方向両側には、トラス２の上部に立設された一対の欄干４が設けられている。欄干４の外周部には、踏段３と同期して踏段３と略等速で循環移動する手摺ベルト５が設けられている。
【００１３】
トラス２内には、踏段３と手摺ベルト５とを循環移動させる駆動部６が取付けられている。駆動部６はマシンベッド７を備えており、このマシンベッド７をトラス２内の底部に固定することによりトラス２内への駆動部６の取付けが行われている。
【００１４】
駆動部６は、踏段３が移動方向を反転させる反転部８に近接して配置されている。マシンベッド７には、踏段３の反転部８の下方位置に位置付けられ、上向きの開口９を有する埃受け体１０が取付けられている。埃受け体１０は、水平方向の一端側がマシンベッド７上に載置され、埃受け体１０の他端側がトラス２の底梁１１に立設された支え板１２にネジ止めされている。
【００１５】
反転部８と駆動部６との間には、反転部８において垂直向きとなる踏段３の上面に対向するステップカバーである踏段カバー１３が設けられている。踏段カバー１３は、トラス２の上部梁１４に係止されて吊り下げられている。踏段カバー１３は、反転部８と駆動部６との間を仕切り、反転部８において踏段３の上面から落下する埃が駆動部６側に飛散することを防止している。
【００１６】
踏段カバー１３は、上下方向に分割された分割カバー１３ａ，１３ｂをボルト１５により固定して形成されている。分割カバー１３ｂの上縁側と下縁側とには、それぞれ一対の通し穴１６が形成されている。上縁側の通し穴１６にボルト１５を挿通し、このボルト１５を分割カバー１３ａに固定されているナット（図示せず）に螺合させることにより、図３（ａ）に示すように、分割カバー１３ｂは下方位置で固定される。図３（ａ）に示す状態からボルト１５を外し、分割カバー１３ｂを上方に移動させ、分割カバー１３ｂの下縁側に形成されている通し穴１６にボルト１５を通してこのボルト１５を分割カバー１３ａに固定されているナットに螺合させることにより、図３（ｂ）に示すように、分割カバー１３ｂを上方位置で固定することができる。分割カバー１３ｂを上方位置で固定することにより、踏段カバー１３の下端縁と埃受け体１０の開口９との間の間隔が大きくなる。
【００１７】
埃受け体１０の開口９の巾寸法“Ａ”は、踏段３の巾寸法（踏段３の移動方向と直交する方向の寸法）よりも大きく設定されている。さらに、反転部８において垂直向きとなる踏段３の上面と踏段カバー１３との間の領域は、この領域の垂直方向投影面が埃受け体１０の開口９内に位置するように規定されている。
【００１８】
埃受け体１０は、図２に示すように上向きの開口９を有し、さらに、一つの側面には掃出口１７が形成されている。埃受け体１０には、掃出口１７を開放する開放位置（図２（ｂ）参照）と掃出口１７を閉止する閉止位置（図２（ａ）参照）とに開閉可能な扉１８が設けられている。扉１８の外側面には、扉１８を開閉操作する場合に把持する取っ手１９が取付けられている。
【００１９】
このような構成において、循環移動する踏段３の上面に載った埃は、エスカレータ１の乗降口に設けられている櫛２０により集められてトラス２内に入り込むことは阻止されるが、櫛２０と踏段３の上面との間を通過した埃、特に、土埃や小石等は踏段３の上に載ってトラス２内に入り込む。トラス２内に入り込んだ埃は、反転部８において踏段３の上面が垂直向きとなる場合に踏段３の上面から落下する。
【００２０】
本実施の形態のステップ清掃装置では、埃受け体１０がマシンベッド７の上面に取付けられているので、埃受け体１０を踏段３の反転部８に近接させることができる。埃受け体１０が踏段３の反転部８に近接することにより、反転部８において踏段３から落下した埃を埃受け体１０に効率良く回収することができ、踏段３から落下した埃が埃受け体１０の周囲に飛散することを防止することができる。
【００２１】
また、埃受け体１０がマシンベッド７の上面に取付けられていることにより、エスカレータ１の小型化を図ること等により駆動部６が反転部８の下方位置へ張り出した場合でも、埃受け体１０を反転部８の下方に設置することができる。
【００２２】
さらに、埃受け体１０の開口９の巾寸法“Ａ”が踏段３の巾寸法よりも大きく設定され、かつ、反転部８において垂直向きとなる踏段３の上面と踏段カバー１３との間の領域の垂直方向投影面が、埃受け体１０の開口９内に位置するように規定されているので、踏段３から落下した埃が埃受け体１０の周囲に飛散することをより一層確実に防止することができる。
【００２３】
埃受け体１０には、掃出口１７とこの掃出口１７を開閉する扉１８とが設けられているので、扉１８を開放位置へ回動させて掃出口１７を開放することにより、埃受け体１０内に溜まった埃を掃出口１７から容易に掃出すことができる。
【００２４】
掃出口１７から埃を掃出す際に、図３（ｂ）に示すように下側の分割カバー１３ｂを上方位置へ移動させることにより、踏段カバー１３の下端縁と埃受け体１０の開口９との間の間隔を大きく開けることができる。これにより、埃受け体１０内に溜まった埃を掃出口１７から掃出す作業を容易に行うことができ、しかも、この掃出し作業を埃受け体１０をトラス２外に取出すことなくトラス２内において行うことができる。
【図面の簡単な説明】
【００２５】
【図１】本発明の一実施の形態に係る乗客コンベアのステップ清掃装置を示す側面図である。
【図２】埃受け体の構造を示す斜視図である。
【図３】踏段カバーの構造を示す斜視図である。
【符号の説明】
【００２６】
３      ステップ
６      駆動部
７      マシンベッド
８      反転部
９      開口
１０      埃受け体
１３      ステップカバー
１３ａ，１３ｂ  分割カバー
１７      掃出口
１８      扉
【図１】
2007204159.tif 000003
【図２】
2007204159.tif 000004
【図３】
2007204159.tif 000005